(57)【要約】  本発明は、充填製品充填プラントにおいて流体媒体を気化させるための装置（１）であって、傾斜気化器面（４０）と、気化させる流体媒体を気化器面（４０）に適用するための媒体供給管路（５）と、流体媒体を伝導するための気化器面（４０）の溝（４４）とを備えており、気化器面（４０）に沿った溝（４４）は非直線状設計を有する、装置（１）に関連している。
2019536486.tif 000002
【特許請求の範囲】
【請求項１】
充填製品充填プラントにおいて流体媒体を気化させるための装置（１）であって、傾斜気化器面（４０）と、気化させる前記流体媒体を前記気化器面（４０）に適用するための媒体供給管路（５）と、前記流体媒体を伝導するための前記気化器面（４０）における溝（４４）とを備えており、前記気化器面（４０）に沿った前記溝（４４）は非直線状設計を有することを特徴とする、装置（１）。
【請求項２】
前記溝（４４）は前記気化器面（４０）に沿って螺旋及び／又は湾曲及び／又は屈曲形態で延在することを特徴とする、請求項１に記載の装置（１）。
【請求項３】
前記気化器面（４０）は気化器ハウジング（３）に収容されており、前記気化器ハウジング（３）の内壁の輪郭は、少なくとも前記傾斜気化器面（４０）の領域において、前記気化器面（４０）の前記輪郭にほぼ追従することを特徴とする、請求項１又は２に記載の装置（１）。
【請求項４】
傾斜気化器面（４０）と、気化させる流体媒体を前記気化器面（４０）に供給するための媒体供給管路（５）とを備えている、充填製品充填プラントにおいて使用するための流体媒体を気化させるための装置（１）であって、前記気化器面（４０）は気化器ハウジング（３）に収容されており、前記気化器ハウジング（３）の内壁の輪郭は、少なくとも前記傾斜気化器面（４０）の領域において、前記気化器面（４０）の前記輪郭にほぼ追従することを特徴とする、装置（１）。
【請求項５】
前記流体媒体を伝導するために前記気化器面（４０）に溝（４４）が設けられており、前記気化器面（４０）に沿った前記溝（４４）は非直線状設計を有することを特徴とする、請求項４に記載の装置（１）。
【請求項６】
前記溝（４４）は前記気化器面（４０）に沿って螺旋及び／又は湾曲及び／又は屈曲形態で延在することを特徴とする、請求項５に記載の装置（１）。
【請求項７】
キャリアガスを前記気化器面（４０）上に伝導するキャリアガス供給管路（６０）が設けられていることを特徴とする、請求項１から６のいずれか一項に記載の装置（１）。
【請求項８】
前記キャリアガス供給管路（６０）は、円錐形及び／又は角錐形の、及び／又はコノイド状の前記気化器面（４０）の周囲に配置され、前記キャリアガスをキャリアガス放出口（６０２）によって前記気化器面（４０）上に出力する、キャリアガス流路（６００）を備えることを特徴とする、請求項７に記載の装置（１）。
【請求項９】
前記気化器面（４０）は円錐形及び／又はコノイド状及び／又は角錐形の気化器本体（４）によって形成されることを特徴とする、請求項１から８のいずれか一項に記載の装置（１）。
【請求項１０】
前記気化器面（４０）の上部領域は、好ましくはドーム形設計を有する媒体分配装置が上方向に隣接していることを特徴とする、請求項１から９のいずれか一項に記載の装置（１）。
【請求項１１】
前記媒体分配装置は、前記媒体供給管路（５）によって前記流体媒体が適用されるドーム（４２）を有することを特徴とする、請求項１０に記載の装置（１）。
【請求項１２】
流体媒体を収容するための樋状部が前記ドーム（４２）と前記気化器面（４０）との間に配設されており、好ましくは、前記気化器面（４０）に沿って延在する前記溝（４４）は前記樋状部と流体連通していることを特徴とする、請求項１１に記載の装置（１）。
【請求項１３】
前記気化器面（４０）の作業温度を超える沸騰温度を有する加熱媒体により動作するように構成された、前記気化器面（４０）の加熱装置を設けていることを特徴とする、請求項１から１２のいずれか一項に記載の装置（１）。
【請求項１４】
前記媒体供給管路（５）は一定の断面の管によって形成されることを特徴とする、請求項１から１３のいずれか一項に記載の装置（１）。
【発明の詳細な説明】
【技術分野】
【０００１】
本発明は、例えば飲料充填プラントにおいて消毒媒体を気化させて、充填製品と接触する飲料充填プラントの領域を消毒する消毒ガスを供給するための、充填製品充填プラントにおいて流体媒体を気化させるための装置に関する。本装置は例えば、飲料充填プラントにおける消毒工程で使用するための過酸化水素を気化させるために役立つ。
【背景技術】
【０００２】
流体媒体を気化させるための様々な形式及び形態の気化器が知られている。これらは例えば、製品と接触するプラント構成要素の消毒のための過酸化水素ガスを供給するために飲料充填プラントにおいて使用できる。気化器は通常、加熱した気化器面を有しており、その上に、いまだ流体である気化させる媒体が噴霧される。流体媒体はその後、気化器面で気化する。気化器面は、例えば高温蒸気によって、又は電気加熱ロッドによって加熱されて、気化させる流体媒体の沸騰温度を超える所要の温度を気化器面にもたらす。
【０００３】
例えば、特許文献１からは、気化器の傾斜気化器面上に噴霧される過酸化水素水溶液を気化させて、過酸化水素溶液の気化を可能にする気化器が知られている。気化器面は、環境から気化器面を閉鎖する箱形ハウジングによって画成される気化器室に配設される。
【先行技術文献】
【特許文献】
【０００４】
【特許文献１】日本国特許出願公開第２００５／０６５８８２号明細書
【発明の概要】
【発明が解決しようとする課題】
【０００５】
既知の技術的現状から進めて、本発明の目的は、装置の信頼できる設計とともに高水準の気化性能を可能にする、流体媒体を気化させるための装置を提起することである。
【０００６】
この目的は、請求項１の特徴を備えた装置によって達成される。有利な更なる開発成果は従属請求項、図面及び本明細書から生まれる。
【課題を解決するための手段】
【０００７】
従って、充填製品充填プラントにおいて流体媒体を気化させるための装置であって、傾斜気化器面と、気化させる流体媒体を気化器面に適用するための媒体供給管路と、流体媒体を伝導するための気化器面における溝とを備える装置を提起する。本発明によれば、気化器面に沿った溝は非直線状設計を有する。
【０００８】
気化させる流体媒体を伝導するために気化器面に設けられている溝が非直線状設計を有するという事実によって、気化させる流体媒体はこれらの溝に沿って気化器面上でより緩徐に流動でき、それにより気化させる流体媒体の均一な分配が気化器面においてもたらされ得る。従って、気化器面は、気化器面全体にわたって、気化させる流体媒体を一様に当てられ得る。それゆえに、全気化性能は、より大きな有効気化器面の結果として増大し得る。
【０００９】
さらに、溝の設計によって、気化させる流体媒体を気化器面に適用するために噴霧ノズルを使用する必要がない。代わりに、媒体はただ単に媒体供給管路によって気化器面に適用され、溝によって均一に分配され得る。噴霧ノズルがないことにより、噴霧ノズルの閉塞がまったく起きないことになり、結果として、特に信頼でき低保守の装置が提起できる。
【００１０】
溝の「非直線状設計」とは、詳しくは、適用可能な気化器面の溝がそれらの全長にわたり直線状に延在しないことを意味するものと理解しなければならない。代わりに、それらは方向の変化を受ける。これは例えば、湾曲を伴う溝、螺旋状の溝、急激な方向の変化を伴うジグザク状の溝及び、適用可能な気化器面上で直線状に延在しない他の溝形状によって達成できる。溝は特に、気化器面に沿って螺旋及び／又は湾曲及び／又は屈曲形態で延在し得る。
【００１１】
このように溝の形状の設計によって、気化させる流体媒体を誘導された様態で気化器面で分配することが達成でき、それにより気化させる媒体による気化器面のほぼ完全な濡れが保証され、それによって高水準の気化性能が実現する。
【００１２】
上述の目的はさらに、請求項４の特徴を備えた装置によっても達成される。有利な更なる開発成果は従属請求項、図面及び本明細書から生まれる。
【００１３】
従って、傾斜気化器面と、気化させる流体媒体を気化器面に供給するための媒体供給管路とを備えており、気化器面は気化器ハウジングに収容されている、充填製品充填プラントにおいて流体媒体を気化させるための装置を提起する。本発明によれば、気化器ハウジングの内壁の輪郭は、少なくとも傾斜気化器面の領域において、気化器面の輪郭にほぼ追従する
【００１４】
このように、気化器面及び気化器ハウジングはともに気化器室を形成し、気化が生じる容積は気化器面と気化器ハウジングの内面との間の空隙によって画成される。面が互いに平行に延びるという事実によって、ほぼ一定の間隔による流路形状の構造が形成される。従って少なくとも、気化器ハウジングが気化器面に対向しその輪郭に追従している領域において、気化器室の断面は形態がほぼ環状である。
【００１５】
このようにして、気化器室の容積は制御できる。すなわち、気化器室の設計が、それゆえ気化器室の容積が小さくとどまるように、十分に低く保つことができる。これは特に圧力機器指令９７／２３／ＥＣの規定に関して重要であって、なぜなら、圧力と容積の積（すなわち圧力室の容積と容器の圧力定格との積）が５０未満である場合、圧力容器は最終評価を受けなくてよいからである。気化器室の容積を低く保つことができれば、最終評価を受けなくてよい低保守の気化器を提供することがこれによって可能である。これはプラントの費用及び効率両方の理由で有利である。
【００１６】
気化器面は好ましくは、円錐形、角錐形又はコノイド状、又は別様に凸状の気化器本体に設けられる。気化器本体は特に円錐台としても設計でき、その上面で、媒体供給管路から流れた気化させる流体媒体は、個々の溝に、さらに全体として気化器面上に分配される。
【００１７】
気化器ハウジングの内部輪郭が気化器面のそれに追従する場合、環状空隙だけが、又は円錐の表面の形状の空隙が気化器面と気化器ハウジングの内面との間に形成される。この空隙に沿って、キャリアガス（すなわちキャリア空気）は気化器面にわたって流動できる。流体媒体の気化に起因して生じ得る高圧力時でさえ、圧力と容積の積は制御し続けることができ、それにより圧力機器指令に指定された限界値を気化器内部で上回ることがなく、従って、効率的で低保守の装置が提供され得る。
【００１８】
好ましくは、気化器面の上部領域には、好ましくはドーム形設計を有する媒体分配装置が上方向に隣接している。特に好ましくは、媒体分配装置はドームを有しており、そこに流体媒体が媒体供給管路によって適用される。更なる開発成果において、流体媒体を収容するための樋状部がドームと気化器面との間に配設されており、特に好ましくは気化器面に沿って延在する溝は樋状部と流体連通している。
【００１９】
気化器本体が円錐又は円錐台の形状である場合、気化器面に沿って延在する溝は好ましくは、円錐の軸に沿って見て、形態が螺旋である。
【００２０】
媒体供給管路が好ましくは設けられ、それにより気化させる流体媒体は傾斜気化器面に、一例では傾斜気化器面の最上部領域に供給されることが可能になる。溝のために、媒体の供給は、気化させる流体媒体の気化器面上への分配が非直線状の溝によって行われるので、噴霧ノズルを用いずに行うことが可能である。
【００２１】
また、気化器面への媒体の噴霧が省けるという事実によって、従来の気化器において知られるような噴霧ノズルの閉塞に起因する混乱も回避できる。代わりに、例えば所定の断面の管の形態による媒体供給管路によって、気化させる流体媒体は、媒体供給管の断面のいかなる変更も伴うことなく、気化器面の頂点、又は最上部領域に適用できる。
【００２２】
媒体を供給するための管の断面は好ましくは、気化させる流体媒体がやはり装置によって直接気化可能な量で不断に供給され得るように選択される。言い換えると、供給される媒体は直ちに気化し、媒体供給管路は連続的に動作できる。
【００２３】
キャリアガスは好ましくは、キャリアガス供給管路によって気化器室に供給され、その後、気化した媒体で濃縮されたキャリアガスを放出するためのガス放出口によって気化器室から放出される。
【００２４】
好ましい実施形態において、キャリアガス供給管路は、キャリアガスを衝撃により気化器面に誘導し、このようにしてさらに効率的な気化を促進するように構成されている。気化器面の周辺又はその上でのキャリアガスの流れによって、気化した流体媒体はキャリアガスとともに効率的に搬送され得る。
【００２５】
キャリアガスの供給は好ましくは、気化した媒体を効率的に搬送するために、気化器面に沿って乱れた渦を巻く流れが生成されるようにノズルによって気化器室に吹き込まれ得る。
【００２６】
更なる好ましい実施形態において、キャリアガス供給管路は、円錐形及び／又は角錐形の、及び／又はコノイド状の気化器面の周囲に配置されキャリアガスをキャリアガス放出口によって気化器面上に出力する、キャリアガス流路を備える。この手段によって、気化器面にわたりキャリアガスの一様な流れが実現でき、その結果、気化器面全体の効率的な利用が達成される。
【００２７】
好ましくは、気化装置の更なる実施形態において、キャリアガス（すなわち気化した流体媒体により濃縮される空気）の吹き込みは、複数の供給開口又は供給スロットによって実行され、それによってキャリアガスによる気化器面のほぼ均一な衝突が実現される。このようにして、気化の効率が増大できると同時に、気化した流体媒体が確実且つ一様に搬送されることが保証され得る。
【００２８】
気化器面に沿ったガス流は好ましくは、気化生成物の搬送及び／又は、キャリアガスへの気化した流体媒体の混入を助けるために、乱流となるように設計される。しかしまた、エネルギー効率の理由で、気化室内部に存在する抵抗を低減するために、流れは層流となるように設計してもよい。
【００２９】
更なる好ましい実施形態において、気化器面の作業温度を超える沸騰温度を有する加熱媒体により動作するように構成された、気化器面の加熱装置が設けられる。この加熱装置の設計によって、装置が圧力機器指令に起因する更なる規制を受けることなく加熱を行い得る。効率的な加熱媒体としては、低圧で気化器本体に供給可能な、例えばサーマルオイルを使用することが可能である。
【００３０】
本発明の好ましい更なる実施形態は、図面の以下の説明によって、より完全に解説される。
【図面の簡単な説明】
【００３１】
【図１】過酸化水素水溶液の形態での流体媒体を気化させるための装置の略断面図である。
【図２】図１の装置の略部分斜視図である。
【図３】気化器室を通過する気流を略示した、図１及び２の装置の略断面図である。
【図４】更なる実施形態における流体媒体を気化させるための装置の略部分断面斜視図である。
【発明を実施するための形態】
【００３２】
好ましい実施形態の実施例を、図を用いて以下に説明する。図中、同一又は類似であるか、又は同一の効果を有する要素は、同一の参照符号により示されている。冗長を避けるために、これらの要素の繰り返しとなる説明は、以下の説明では部分的に省略する。
【００３３】
図１から３は、流体媒体を気化させるための装置１の略図を表示す。流体媒体として、例えば過酸化水素３５％水溶液は、装置１において気化して、キャリアガス（例えば空気）を濃縮するために使用される。気化した流体媒体で濃縮された後、キャリアガスは例えばその後、充填製品充填プラントにおいて消毒工程において使用されて、例えばプラントの予定された消毒を実行するか、又は改装又は休止時間後にプラントを衛生的に許容できる状態に回復させ、それにより充填製品（例えば飲料又は別の食品）の次の充填を衛生的に許容できる様態で行い得る。
【００３４】
流体媒体を気化させるための装置１は、気化器ハウジング３によって画成される気化器室２を備える。気化器ハウジング３において、それゆえ気化器室２には、気化器面４０を形成する気化器本体４が設けられている。気化器面４０は傾斜した配向を有しており、そのため、適用された流体媒体は基本的に下方に流れる。
【００３５】
気化させる流体媒体は、媒体供給管路５を通じて気化器本体４の気化器面４０に適用され、従って気化器面４０で気化し、それにより気化した媒体が気化器室２に入る。
【００３６】
気化器面４０で気化し気化器室２に存在している気化した媒体を搬送し、その後例えば消毒のために充填製品充填プラントにおいて使用することが可能となるために、キャリアガスがキャリアガス供給管路６０によって気化器室２に導入される。キャリアガスはその後、気化器面４０で気化した媒体とともに、ガス放出口６２を通じて放出される。これによってガス放出口６２は、気化した媒体をキャリアガスとともに以降の処理ステップに移すのに役立つ。キャリアガスは例えば空気であってよい。
【００３７】
図示された例示実施形態において、気化器本体４はほぼ円錐形設計を有する。従って、気化器面４０は円錐の表面の形態で設計されている。気化器本体４の円錐形設計により、相対的に小さい底部領域において相対的に大きい気化器面４０を設けることが可能になり、従って凹部がなく清掃が容易な装置１の装備が可能になる。
【００３８】
図示された例示実施形態において過酸化水素溶液を気化器面４０に適用するための供給管の形態で設計されている媒体供給管路５によって供給される流体媒体は、気化器本体４の上部領域に設けられ、媒体供給管路５から流れる媒体を気化器面４０の周囲に均一に分配するドーム４２によって、気化器面４０上に一様に流れることが可能になる。
【００３９】
この目的で、ドーム４２と気化器面４０との間に樋状部が配設されている。樋状部は、流体媒体をあふれるまで保持し、それにより気化器面４０での流体媒体の均一な分配に、特に周囲での均一な分配につながる。
【００４０】
加えて、気化器面４０には溝４４が設けられている。気化させる媒体はこれらに沿って伝導され、それによって気化器面４０に分配され得る。気化器本体４の気化器面４０に配設された溝４４は、気化器面に非直線様態で、すなわち、例えば図２で特に良好に見られるように、湾曲又は屈曲して配置される。溝４４は特に好ましくは樋状部と流体連通しており、そして好ましい更なる開発成果では、それらは樋状部から発する。
【００４１】
図１から３に図示された特定の実施形態において、溝４４は気化器面４０の螺旋形部分に配置される。溝４４の非直線状、特に螺旋状配置により、流体でありまだ気化していない媒体の気化器面４０全体にわたる効率的な搬送が可能になる。同時に、螺旋状設計により、流体でありまだ気化していない媒体がすぐに下方に流れ、単に下部領域で回収されるのを防ぐ。代わりに、溝４４の非直線状、すなわち螺旋状設計によって、流体でありまだ気化していない（しかし依然として気化されるはずの）媒体がより緩徐に流れ、それ自体気化器面４０にわたり一様に拡がることが達成できる。従って、気化器面４０の全表面積が一様に且つ連続的に流体媒体を衝突させられ得ることから、気化させる流体媒体の特に効率的な気化を実現することが可能である。
【００４２】
特に好ましくは、溝４４は気化器面４０の最上部領域から最下部領域まで延在しており、それにより気化器面４０全体にわたる流体媒体の均一な分配が達成できる。
【００４３】
図示された例示実施形態において、媒体供給管路５は管の形態で設計されており、まったく先細りされておらず、その放出口端５０にはノズルもない。言い換えると、気化させる流体媒体は、気化器本体４のドーム４２上に直接流れ、ドーム４２によって気化器面４０で分配されるだけである。このように、媒体供給管路５は、気化させる媒体を噴霧するためのノズルを備えていない。それゆえ、気化させる媒体を供給するためのノズルの詰まり又は閉塞がまったく起こらず、さらに当該ノズルを再調整する必要がまったくないという事実によって、信頼できる運転及び、装置１内部の媒体供給管路５の要求される保守の削減を実現することが可能である。
【００４４】
気化器本体４は加熱回路を有しており、それは円錐形気化器本体４内部に中心孔の形態の加熱媒体供給管路７０を備える。気化器本体４には複数の孔の形態で加熱媒体戻り管路７２が設けられており、それらは気化器面４０と平行に加熱媒体供給管路７０の上部領域から径方向に延在している。従って、加熱媒体は、気化器本体４の中心を通り加熱媒体供給管路７０によって上方に移送された後、気化器本体４内部で気化器面４０に沿って加熱媒体戻り管路７２によって移送されて戻り、それにより熱が気化器本体４内部で気化器面４０に一様且つ効率的に伝達され得る。気化器本体４の下端で、気化器面４０と平行に延在する孔の形態の加熱媒体戻り管路７２は、引き続き加熱媒体を外部熱交換器に移送して戻すための戻り流路７４に流入する。
【００４５】
使用される加熱媒体は好ましくは、装置１の作業温度よりも上の、すなわち気化器面４０の所要の作業温度を超える沸騰温度を有する。図示された実施形態では、この目的で、その沸騰温度が気化器面４０の作業温度を著しく超えるサーマルオイルを使用することが好ましい。このようにして、戻り流路７４とともに、加熱媒体供給管路７０及び加熱媒体戻り管路７２による加熱回路は、低圧で動作することができ、加熱回路内部での加熱媒体の気化による圧力ピークの発生は回避できる。このようにして、気化器面４０の加熱は特に問題なく行い得る。
【００４６】
気化器面４０の作業温度を超える沸騰温度のサーマルオイル又は別の熱伝達媒体による上述したような気化器本体４の加熱の代替策として、気化器本体４及び、特に気化器面４０はまた、電気加熱ロッド又は既知の別の方法で加熱して、高水準の操業安全性を提供すると同時に、他方で気化器面４０の信頼できる均一な加熱を実現できる。
【００４７】
媒体供給管路５によって、特に媒体供給管路５の放出口端５０によって供給されたが、気化器面４０で気化しない流体媒体の部分は、気化器室２の下部領域に配設されている媒体放出口５２によって定期的に又は必要に応じて気化器室２から排出され、これによって除去できる。
【００４８】
例えば図３の図示からわかるように、キャリアガスはキャリアガス供給管路６０によって気化器室２に吹き込まれる。キャリアガス供給管路６０は偏向領域６４を有しており、それによってキャリアガスは、例えば図３で気化器室２内部に略示された矢線によって示されたように、気化器本体４の気化器面４０上に直接吹きつけられ得る。このようにして、キャリアガス供給管路６０によって供給されたキャリアガスの流れが渦を巻いた乱流として気化器面４０に衝突し、気化した流体媒体の効率的な搬送をこのようにして可能にすることが実現できる。
【００４９】
乱流の発生は気化器本体４の気化器面４０に設けられた溝４４によってさらに助けられ、それにより多層且つ多様な渦巻き運動に起因して、気化の生成物の特に効率的な搬送も溝４４において実現される。
【００５０】
図４の略部分断面斜視図に示された代替実施形態において、流体媒体を気化させるための装置１は、円錐形気化器本体４が設けられている気化器ハウジング３によって形成される気化器室２をやはり備えている。その円錐形態による気化器本体４の、従って円錐の表面の形状の気化器面４０の設計は、前述した実施形態のものとほぼ一致する。
【００５１】
しかし図４の例示実施形態において、気化器ハウジング３は、気化器ハウジング３の内面の輪郭が気化器本体４の気化器面４０の輪郭にほぼ追従するように設計されている。従って、気化器ハウジング３もまたほぼ円錐形設計を有しており、それにより気化器面４０と気化器ハウジング３の内面との間に形成される気化器室２の空洞は、その断面が環状流路と一致する。こうして気化器面４０と気化器ハウジング３の内面とはほぼ互いに平行に延びる。
【００５２】
このようにして、気化器ハウジング３の内壁によって画成され気化器本体４の容積変位によって減じられる気化器室２の容積は、気化器室２がもっぱら相対的に少ない容積を形成するように制御され得ることが実現できる。従って、圧力機器指令９７／２３／ＥＣの規定に関して、流体媒体を気化させるための装置１の圧力と容積の積は、圧力機器指令に従って最終評価から圧力容器を免除するのに十分に小さく保つことができる。
【００５３】
「圧力と容積の積」又は「圧力と内容の積」は、圧力室の容積と容器の圧力定格との乗算から得られる値として理解される。圧力機器指令によれば、この値は、容器が最終評価を受けなくてよいためには５０ｂａｒ＊ｌ未満でなければならず、例えば、気化器室２が８リットルの容積である場合、この値は６バールの作業圧力になる。この実施例において、４８ｂａｒ＊ｌの圧力と容積の積になる。
【００５４】
従って、気化器室２が可能な限り小さい容積であるような、気化器本体４の寸法設定及び、気化器本体４を包囲する気化器ハウジング３の幾何学的構成によって、気化器は、高い圧力用に設計されているにもかかわらず、その低い圧力と容積の積のために最終評価を免除されることが実現できる。その結果、設置及び保守費用は、時間の消費と同様に、低減できる。
【００５５】
図４に図示された例示実施形態において、キャリアガスの気流の誘導は、気化器本体４の下部円周に延在するキャリアガス流路６００にキャリアガスを吹き込むキャリアガス供給管路６０が設けられていることによって、また、キャリアガスが気化器室２内に流入するのを可能にする複数のキャリアガス放出口６０２が、この場合円錐の形態で設計されている気化器本体４の周囲に設けられていることによって、達成される。このように、キャリアガス供給管路６０によって供給され、その底部領域において気化器室２の周囲でキャリアガス流路６００によって分配されるキャリアガスは、キャリアガス放出口６０２によって気化器室２に吹き込まれる。このように、気化器室２へのキャリアガスの一様な供給が行われ、それによりキャリアガスは気化器本体４の気化器面４０にわたって流動し、その後、気化の生成物とともにガス放出口６２から出力され得る。
【００５６】
図示された例示実施形態において、気化器室２の円錐状テーパリングに起因して、その頂部に向けて、すなわちガス放出口６２方向に気化器室２の断面は縮小している。これにより、気化器室２内部でのキャリアガスの流速の増大がもたらされる。これは、加熱媒体供給管路７０及び加熱媒体戻り管路７２での加熱媒体の流れの移送に起因する気化器面４０における温度分布と相関し、そのため気化器面４０はその下部領域よりもその上部領域でわずかに高温である。加えて、気化器面４０の大きさはその上部領域において低減し、そのため、より大きい流速及び高い温度のために、高水準の気化性能がそれにもかかわらず維持され得る。
【００５７】
そのような圧力勾配及び、気化器室２内部でのキャリアガスの流速の勾配が要求されない場合、その内壁の傾斜が気化器面４０の傾斜と同一である気化器ハウジング３の設計の代わりに、気化器本体４の円錐の頂点の方向に上がるにつれて気化器ハウジング３が外方に拡大して、気化器室２の大きさ全体にわたって均一な流れ断面をもたらす気化器室２が設計できる。
【００５８】
個々の例示実施形態で記載された全部の個々の特徴は、適用可能な範囲まで、本発明の分野を逸脱することなく、互いに組み合わせ、且つ／又は交換できる。
【符号の説明】
【００５９】
１  流体媒体を気化させるための装置
２  気化器室
３  気化器ハウジング
４  気化器本体
５  媒体供給管路
４０  気化器面
４２  ドーム
４４  溝
５０  放出口端
５２  媒体放出口
６０  キャリアガス供給管路
６２  ガス放出口
６４  偏向領域
７０  加熱媒体供給管路
７２  加熱媒体戻り管路
７４  戻り流路
６００  キャリアガス流路
６０２  キャリアガス放出口
【図１】
2019536486.tif 000003
【図２】
2019536486.tif 000004
【図３】
2019536486.tif 000005
【図４】
2019536486.tif 000006
【国際調査報告】
2019536486.tif 000007
2019536486.tif 000008
2019536486.tif 000009
2019536486.tif 000010
2019536486.tif 000011
2019536486.tif 000012
2019536486.tif 000013
2019536486.tif 000014
2019536486.tif 000015
2019536486.tif 000016